(57)【要約】【課題】バックアップ記憶手段に異常が発生したときでも、可能な限り通信サービスを維持することができる伝送装置を提供する。【解決手段】伝送装置10は、通信サービスに関する設定情報を上位制御部16から受けて設定情報を保持する第１、第２監視制御部18, 20, 20aと、設定情報を受けて通信サービスを提供する主信号インタフェース部22, 22aとを含む。第１、第２監視制御部18, 20はそれぞれ、設定情報を格納するバックアップメモリ24, 26を含む。バックアップメモリ24, 26のうち少なくとも一方の設定情報が最新でないと判断されるときに、制御部27は、伝送装置10内に生じうるリセットについて分析して、バックアップメモリ24, 26のうち、いずれを使用するかを決定し、いずれかに記憶されている設定情報を使用する。【選択図】図１
2006140560.tif 000002
【特許請求の範囲】
【請求項１】
通信サービスに関する設定情報を上位制御部から受けて該設定情報を保持する監視制御部と、該設定情報を該監視制御部から受けて該設定情報に従って通信サービスを提供する伝送部とを含む伝送装置において、
前記監視制御部は、第１の監視制御部と第２の監視制御部とを含み、
該第１の監視制御部は、前記設定情報を格納する第１の記憶手段を含み、
前記第２の監視制御部は、前記設定情報を格納する第２の記憶手段を含み、
前記第１および第２の記憶手段のうち少なくとも一方の記憶手段の設定情報が最新でないと判断されるときに、該伝送装置は、該伝送装置内に生じうるリセットについて分析して、該分析結果に従って、前記第１および第２の記憶手段のうち、いずれを使用するかを決定する決定部を含み、該決定結果に従って、前記第１および第２の記憶手段のうちのいずれかに記憶されている設定情報を使用することを特徴とする伝送装置。
【請求項２】
請求項１に記載の伝送装置において、前記最新でないと判断された記憶手段ではない他方の記憶手段を含む監視制御部においてリセットが生じている場合、通信サービスに関する設定情報を上位制御部から受けた後に、該設定情報を前記伝送部に送ることを特徴とする伝送装置。
【請求項３】
通信サービスに関する設定情報を上位制御部から受けて該設定情報を保持する監視制御部と、該設定情報を該監視制御部から受けて該設定情報に従って通信サービスを提供する伝送部とを含む伝送装置において、
前記監視制御部は、第１の監視制御部と第２の監視制御部とを含み、
該第１の監視制御部は、前記設定情報を格納する第１の記憶手段を含み、
前記第２の監視制御部は、前記設定情報を格納する第２の記憶手段を含み、
前記第１および第２の記憶手段のうち少なくとも一方の記憶手段の設定情報が最新でないと判断されるときに、該伝送装置は、前記他方の記憶手段の異常を検出する検出部を含み、該他方の記憶手段が正常であるときは、該他方の記憶手段に記憶されている設定情報を使用することを特徴とする伝送装置。
【請求項４】
請求項３に記載の伝送装置において、前記最新でないと判断された記憶手段ではない他方の記憶手段が異常であるときは、通信サービスに関する設定情報を上位制御部から受けた後に、該設定情報を前記伝送部に送ることを特徴とする伝送装置。
【請求項５】
請求項３または４に記載の伝送装置において、該伝送装置は、該伝送装置内に生じうるリセットについて分析して、該分析結果に従って、前記第１および第２の記憶手段のうち、いずれを使用するかを決定する決定部を含み、該決定結果に従って、前記第１および第２の記憶手段のうちのいずれかに記憶されている設定情報を使用することを特徴とする伝送装置。
【請求項６】
請求項１から５までのいずれかに記載の伝送装置において、前記第１および第２の記憶手段のうち少なくとも一方の記憶手段の設定情報が最新でないと判断されるときとは、前記記憶手段または前記監視制御部を交換したときであることを特徴とする伝送装置。
【請求項７】
請求項１から５までのいずれかに記載の伝送装置において、前記第１および第２の記憶手段のうち少なくとも一方の記憶手段の設定情報が最新でないと判断されるときとは、前記記憶手段または前記監視制御部が故障しているかどうかが判断困難であるときであることを特徴とする伝送装置。
【請求項８】
上位制御部からの設定情報を保持する監視制御部と、通信サービスを提供する伝送部とを含む伝送装置のバックアップファイル管理方法において、
前記監視制御部に、第１の監視制御部と第２の監視制御部とを設ける工程と、
該第１の監視制御部の第１の記憶手段に前記設定情報を格納する工程と、
前記第２の監視制御部の第２の記憶手段に前記設定情報を格納する工程と、
前記第１および第２の記憶手段のうち少なくとも一方の記憶手段の設定情報が最新でないと判断されるときに、該伝送装置内に生じうるリセットについて分析して、該分析結果に従って、前記第１および第２の記憶手段のうち、いずれを使用するかを決定し、該決定結果に従って、前記第１および第２の記憶手段のうちのいずれかに記憶されている設定情報を使用する工程とを含むことを特徴とする伝送装置のバックアップファイル管理方法。
【請求項９】
上位制御部からの設定情報を保持する監視制御部と、通信サービスを提供する伝送部とを含む伝送装置のバックアップファイル管理方法において、
前記監視制御部に、第１の監視制御部と第２の監視制御部とを設ける工程と、
該第１の監視制御部の第１の記憶手段に前記設定情報を格納する工程と、
前記第２の監視制御部の第２の記憶手段に前記設定情報を格納する工程と、
前記第１および第２の記憶手段のうち少なくとも一方の記憶手段の設定情報が最新でないと判断されるときに、該伝送装置は、前記最新でないと判断された記憶手段ではない他方の記憶手段の異常を検出し、該他方の記憶手段が正常であるときは、該他方の記憶手段に記憶されている設定情報を使用する工程とを含むことを特徴とする伝送装置のバックアップファイル管理方法。
【発明の詳細な説明】
【技術分野】
【０００１】
本発明は、伝送装置および伝送装置のバックアップファイル管理方法に関するものである。
【背景技術】
【０００２】
ネットワークシステムにおいては、複数の伝送装置が伝送路で接続されてネットワークシステムを構成している。また、伝送装置は、それぞれ上位制御装置とLAN（ローカルエリアネットワーク）で接続されている。このようなネットワークシステムでは、信頼性や安全性の面から各伝送装置の立上げに必要なデータ、つまり、内蔵するハードウェアパッケージ等の設定及び状態のデータを、バックアップデータとしてバックアップすることが行われている。
【０００３】
バックアップの方法として特許文献１には、複数のネットワーク構成装置それぞれに、自ネットワーク構成装置の設定データと、伝送路で接続され互いに対向するネットワーク構成装置の設定データを保持するバックアップ記憶手段を有することが記載されている。自ネットワーク構成装置の設定データを対向するネットワーク構成装置のバックアップ記憶手段に保持するため、自ネットワーク構成装置のバックアップメモリやそのアクセス回路等のハードウエアに異常がある場合にも、設定データをバックアップすることができる。
【０００４】
【特許文献１】特開平１１−３１７７４５号公報
【発明の開示】
【発明が解決しようとする課題】
【０００５】
伝送装置の設定情報の基準データを保持するバックアップ記憶手段に異常が発生した際には、上位制御装置または対向するネットワーク構成装置からのデータダウンロードによる全データの再構築、もしくは、故障したパッケージの交換後に上位制御装置または対向するネットワーク構成装置からのデータ再構築が必要となる。
【０００６】
しかし、全データの再構築を行うため、これにより、全データの再構築前もしくは故障したパッケージの交換前に設定されていた伝送部の設定データが変更される。このため、伝送装置としては致命的な「通信サービスが提供できない状態」に陥るという問題が発生する。
【０００７】
本発明はこのような従来技術の欠点を解消し、バックアップ記憶手段に異常が発生したときでも、可能な限り通信サービスを維持することができる伝送装置を提供することを目的とする。
【課題を解決するための手段】
【０００８】
本発明は上述の課題を解決するために、通信サービスに関する設定情報を上位制御部から受けて設定情報を保持する監視制御部と、設定情報を監視制御部から受けて設定情報に従って通信サービスを提供する伝送部とを含む伝送装置において、監視制御部は、第１の監視制御部と第２の監視制御部とを含み、第１の監視制御部は、設定情報を格納する第１の記憶手段を含み、第２の監視制御部は、設定情報を格納する第２の記憶手段を含み、第１および第２の記憶手段のうち少なくとも一方の記憶手段の設定情報が最新でないと判断されるときに、伝送装置は、伝送装置内に生じうるリセットについて分析して、分析結果に従って、第１および第２の記憶手段のうち、いずれを使用するかを決定する決定部を含み、決定結果に従って、第１および第２の記憶手段のうちのいずれかに記憶されている設定情報を使用することとしたものである。
【０００９】
本発明によれば、バックアップ記憶手段として第１および第２の記憶手段を設け、たとえば第１の記憶手段の設定情報が最新でないと判断されるときに、リセットについて分析する。分析結果に従って、第１および第２の記憶手段のうち、いずれを使用するかを決定し、決定結果に従って、第１および第２の記憶手段のうちのいずれかに記憶されている設定情報を使用する。この結果、最新でないデータにより伝送部のデータを書き換えることがなく、可能な限り通信サービスを維持することができる。
【００１０】
本発明においては、最新でないと判断された記憶手段ではない他方の記憶手段を含む監視制御部においてリセットが生じている場合、通信サービスに関する設定情報を上位制御部から受けた後に、設定情報を伝送部に送ることが好ましい。これによれば、バックアップ記憶手段である第１および第２の記憶手段のいずれのデータも信頼できないと考えられるときは、第１および第２の記憶手段のいずれのデータも伝送部に送ることはせずに、通信サービスに関する設定情報を上位制御部から受けた後に、設定情報を伝送部に送る。
【００１１】
この方法を採用する理由は、バックアップ記憶手段が記憶しているデータが信用できないとしても、伝送部は正常に働いていて通信サービスは正常に提供されていると考えられる場合には、バックアップ記憶手段の不正確なデータで伝送部のデータを書き換えてしまうと、通信サービスが提供できなくなるからである。最新でないデータにより伝送部のデータを書き換えることがないため、通信サービスに関する最新の設定情報を上位制御部から受け取るまでの間においても、通信サービスを維持し続けることができる。
【００１２】
本発明においては、上記課題を解決するために、通信サービスに関する設定情報を上位制御部から受けて設定情報を保持する監視制御部と、設定情報を監視制御部から受けて設定情報に従って通信サービスを提供する伝送部とを含む伝送装置において、監視制御部は、第１の監視制御部と第２の監視制御部とを含み、第１の監視制御部は、設定情報を格納する第１の記憶手段を含み、第２の監視制御部は、設定情報を格納する第２の記憶手段を含み、第１および第２の記憶手段のうち少なくとも一方の記憶手段の設定情報が最新でないと判断されるときに、伝送装置は、最新でないと判断された記憶手段ではない他方の記憶手段の異常を検出する検出部を含み、他方の記憶手段が正常であるときは、他方の記憶手段に記憶されている設定情報を使用することとしてもよい。
【００１３】
この場合、バックアップ記憶手段として第１および第２の記憶手段を設け、たとえば第１の記憶手段の設定情報が最新でないと判断されるときに、第２の記憶手段の異常を検出し、第２の記憶手段が正常であるときは、第２の記憶手段に記憶されている設定情報を使用する。このため、最新でないデータにより伝送部のデータを書き換えることがなく、可能な限り通信サービスを維持することができる。
【００１４】
なお、他方の記憶手段が異常であるときは、通信サービスに関する設定情報を上位制御部から受けた後に、設定情報を前記伝送部に送ることが好ましい。これによれば、通信サービスに関する設定情報を上位制御部から受け取るまでの間においても、通信サービスを維持し続けることができる。
【００１５】
ところで、第１および第２の記憶手段のうち少なくとも一方の記憶手段の設定情報が最新でないと判断されるときとは、たとえば、記憶手段または監視制御部を交換したときとすることができる。もしくは、記憶手段または監視制御部が故障しているかどうかが判断困難であるときとすることができる。
【００１６】
本発明においては、上記課題を解決するために、上位制御部からの設定情報を保持する監視制御部と、通信サービスを提供する伝送部とを含む伝送装置のバックアップファイル管理方法において、監視制御部に、第１の監視制御部と第２の監視制御部とを設ける工程と、第１の監視制御部の第１の記憶手段に設定情報を格納する工程と、第２の監視制御部の第２の記憶手段に設定情報を格納する工程と、第１および第２の記憶手段のうち少なくとも一方の記憶手段の設定情報が最新でないと判断されるときに、伝送装置内に生じうるリセットについて分析して、分析結果に従って、第１および第２の記憶手段のうち、いずれを使用するかを決定し、決定結果に従って、第１および第２の記憶手段のうちのいずれかに記憶されている設定情報を使用する工程とを含むこととしてもよい。
【発明の効果】
【００１７】
本発明によれば、第１の記憶手段に故障等が発生している時、たとえば第１の監視制御部の交換を実施した場合において、伝送装置では、使用可能なバックアップデータを使用するため、伝送部の設定情報が変更されることによる通信サービスの停止状態を回避可能となる。
【００１８】
さらに、第１、第２の記憶手段のいずれのデータも使用できないときは、上位制御部からのデータダウンロード待ち状態で、伝送部のデータの変更を行わずに装置を立ち上げる。その後、上位制御部からのデータダウンロードを行って、伝送部のデータを変更するため、従来発生した伝送部のデータが変更されることによる通信サービスの停止状態を回避可能となる。
【発明を実施するための最良の形態】
【００１９】
次に添付図面を参照して本発明による伝送装置の実施例を詳細に説明する。図１を参照すると、本発明による伝送装置10の実施例は、SDH伝送網を構成する装置であり、多重化機能、中継伝送機能、接続設定機能、インタフェース変換機能を有する。ただし、本発明は、情報通信ネットワークを構成する装置一般に適用できるものである。
【００２０】
伝送装置10は、基本ユニット12と増設ユニット14を含む。伝送装置10は、最小の構成として基本ユニット12のみから構成され、通信量の増加に応じて、増設ユニット14を追加できる。また、通信量の増加に応じて、伝送装置10自体を追加することができる。
【００２１】
基本ユニット12は、上位制御部である上位制御装置（NE-OpS）16からの設定情報を保持する監視制御盤１(SV1) 18と、監視制御盤１(SV1) のバックアップの機能を有するとともに主信号インタフェース部22の設定を行なう監視制御盤２(SV2) 20と、通信サービスを提供する主信号インタフェース部22とを含む。増設ユニット14は、主信号インタフェース部22aの設定を行なう監視制御盤２(SV2) 20aと、通信サービスを提供する主信号インタフェース部22aとを含む。以下では、第１および第２の記憶手段のうち少なくとも一方の記憶手段の設定情報が最新でないと判断されるときとして、監視制御盤１ 18を交換した後の立上げを考える。
【００２２】
監視制御盤１ 18、監視制御盤２ 20, 20a、主信号インタフェース部22, 22aは、それぞれ１つのパッケージ(スロット)であり、故障時はパッケージ単位で交換可能である。
【００２３】
上位制御装置16はオペレーションシステムを有し、オペレーションシステムにより、伝送装置10に対し設定や制御等を実施し、また装置構成情報等をデータベースとして持つ。監視制御盤１ 18は、伝送装置10全体の監視制御を行なう。主信号インタフェース部22, 22aは、多重化機能と、中継伝送機能と、接続設定機能と、インタフェース変換機能を有する。
【００２４】
監視制御盤１ 18は、上位制御装置16からの設定情報を格納する不揮発性メモリであるバックアップメモリ(BU)24を含み、監視制御盤２ 20は、監視制御盤１ 18を介して送られてくる上記設定情報を格納する揮発性記憶メモリであるバックアップメモリ(BUBU)26を含む。バックアップメモリ26は、バックアップメモリ24のバックアップ用である。バックアップメモリ24は、たとえばEEPROM (Electrically Erasable Programmable Read Only Memory)であり、バックアップメモリ26は、たとえばRAM (Random Access Memory)である。
【００２５】
監視制御盤１ 18のバックアップメモリ24には、不揮発性メモリを使用しているため、装置電源断等からの復旧の際には、バックアップメモリ24に格納されたデータで装置内の再設定を行うことができ、短時間で復旧を可能にする。復旧方法の詳細は後述する。
【００２６】
伝送装置10は、伝送装置10内で立上処理が必要になったときに、バックアップメモリ24, 26のうち使用可能なメモリを決定する制御部(CTL)27を含み、決定結果に従って、バックアップメモリ24, 26のうちのいずれかに記憶されている設定情報を使用する。
【００２７】
制御部27は、バックアップメモリ24の設定情報が最新でないと判断されるときに、伝送装置内に生じうるリセットについて分析して、分析結果に従って、バックアップメモリ24, 26のうち、いずれを使用するかを決定する決定部である。決定結果に従って、バックアップメモリ24, 26のうちのいずれかに記憶されている設定情報を使用する。
【００２８】
このときにさらに制御部27は、監視制御盤２ 20においてリセットが生じているかどうかを判定する。リセットが生じている場合、バックアップメモリ24, 26のいずれにも、通信サービスに関する最新の設定情報が存在しないことになるため、バックアップメモリ24, 26のデータを主信号インタフェース部22, 22aに送ることはしないで、最新の設定情報を上位制御部16から受けた後に、設定情報を主信号インタフェース部22, 22aに送る。
【００２９】
また制御部27は、バックアップメモリ26の異常を検出する検出部であり、検知結果により、バックアップメモリ26が正常であるときは、バックアップメモリ26に記憶されている設定情報を使用する。
【００３０】
さらにバックアップメモリ26が異常であるときは、バックアップメモリ24, 26のいずれにも、通信サービスに関する最新の設定情報が存在しないことになるため、バックアップメモリ24, 26のデータを主信号インタフェース部22, 22aに送ることはしないで、最新の設定情報を上位制御部16から受けた後に、設定情報を主信号インタフェース部22, 22aに送る。
【００３１】
バックアップメモリ24の設定情報が最新でないと判断されるときとは、たとえば監視制御部１ 18が故障して、このパッケージを交換したときである。監視制御部１ 18やバックアップメモリ24が故障しているかどうかが判断困難であるときも、バックアップメモリ24の設定情報が最新でないと判断して、本発明を適用することができる。
【００３２】
伝送装置10を具体的に説明する。監視制御盤１ 18は、伝送装置10内に１つあり、制御部27と、バックアップメモリ24と、BU制御用メモリ(BU-RAM)28と、運用メモリ(CM)30とを有する。制御部27は、上位制御装置16、他の伝送装置および伝送装置10の各部（監視制御盤２ 20, 20a、主信号インタフェース部22, 22a）と、たとえばLAN(ローカルエリアネットワーク)により接続されており、設定データ、制御データおよび状態データを送受信する。制御部27は具体的には、監視制御盤２ 20, 20aおよび主信号インタフェース部22, 22aの制御部32, 34, 32a, 34aとの間で送受信を行なう。
【００３３】
制御部27は、上位制御装置16から受信した設定データを、監視制御盤２ 20, 20aに対して設定するために、制御部32, 32aに送る。また、設定データをバックアップメモリ24、BU制御用メモリ28、運用メモリ30に保持する。バックアップメモリ24、BU制御用メモリ28、運用メモリ30は、同一の内容を保持する。
【００３４】
BU制御用メモリ28は、RAMであり、バックアップメモリ24より高速で動作し、バックアップメモリ24の内容と同一であるため、通常は、BU制御用メモリ28を使用して処理を行なう。運用メモリ30もRAMである。
【００３５】
上位制御装置16から制御部27が受信する設定データは、たとえば装置アドレス情報、基本ユニット登録情報、増設ユニット登録情報、ブロック登録情報、インタフェース(IF)登録情報、チャネル(CH)登録情報、パス情報、回線情報、クロスコネクト情報、冗長構成情報である。これらはバックアップメモリ24、BU制御用メモリ28、運用メモリ30に格納される。また同一の内容が制御部32を介してバックアップメモリ26に送られ、バックアップメモリ26はこれを格納する。
【００３６】
これらの情報のうち装置アドレス情報は、伝送装置10の制御部27が上位制御装置16とデータの送受信を行なうために必要な回線設定データであり、残りの情報は、通信サービスの提供のために必要な回線設定データである。
【００３７】
回線設定データは、制御部32, 32a, 34, 34aを介して運用メモリ36, 36a, 38, 38aに送られ、これらのメモリに格納される。具体的には、基本ユニット12の監視制御盤２ 20の運用メモリ36には、基本ユニット登録情報、ブロック登録情報、インタフェース登録情報、チャネル登録情報、パス情報、回線情報、クロスコネクト情報、冗長構成情報が格納される。
【００３８】
増設ユニット14の監視制御盤２ 20aの運用メモリ36aには、増設ユニット登録情報、ブロック登録情報、インタフェース登録情報、チャネル登録情報、パス情報、回線情報、クロスコネクト情報、冗長構成情報が格納される。
【００３９】
基本ユニット12および増設ユニット14の主信号インタフェース部22, 22aの運用メモリ38, 38aには、インタフェース登録情報、チャネル登録情報、パス情報、回線情報、クロスコネクト情報が格納される。
【００４０】
制御データは、各部の動作を制御するためのデータである。たとえば、所定のデータの送信、受信、格納を指示するデータである。状態データは、各部の状態を示すデータであり、たとえば、リセットの有無、異常／正常を示すデータである。
【００４１】
リセットデータの種類としては、電源のオン／オフを示す電源オンリセットデータ、パッケージごとにその前面の表示盤に設けられたリセットボタンが押されたかどうかを示すスイッチリセットデータ、プログラムが検知したリセットを示すソフトリセットデータ等がある。監視制御盤２ 20は、これらのリセットを区別するために、これらのデータを格納するリセット要因レジスタ60を含む。
【００４２】
電源オンリセットデータには、伝送装置10全体の電源のオンを示すデータ、パッケージごとの電源のオン／オフを示すデータがある。さらに、各パッケージが交換もしくは修理されてユニットに挿入されたときに、ユニットからただちに電源が供給されるため、挿入された直後に、パッケージが挿入されたことを示すデータも、電源オンリセットデータとして生成され、各パッケージの制御部を介して制御部27に送られる。
【００４３】
異常／正常を示すデータの種類としては、各制御部27, 32, 32a, 34, 34aがその制御下にある各メモリに格納されているデータに関して、たとえばチェックサムを用いた異常検査を行なった結果、異常があったことを示すデータや、各制御部27, 32, 32a, 34, 34aが伝送装置10の各部にアクセスしたにもかかわらず、その各部から制御部に対して応答が無いことから異常であると判断したことを示すデータがある。これらのデータには、異常があったメモリや各部を識別するための識別情報が含まれる。異常の検知結果を異常／正常を示すデータとして制御部27は記憶する。異常検知結果に応じた復旧処理の詳細は後述する。
【００４４】
上記の電源オンリセットデータにより制御部27は、バックアップメモリ24の設定情報が最新でないことを判断する。たとえば、監視制御盤１ 18を交換して伝送装置10に監視制御盤１ 18に挿入して伝送装置10の立上処理が必要になったとき、制御部27は電源オンリセットデータにより、監視制御盤１ 18が挿入されたことを知る。制御部27はこの後、立上処理を開始して、バックアップメモリ24, 26のうち使用可能なメモリを決定する。
【００４５】
監視制御盤１ 18が基本ユニット12に挿入されたことを検知する具体的な方法はたとえば、監視制御盤１ 18が基本ユニット12に挿入されたときに、別途設けた挿入スイッチが押されたことを検知するようにすることにより可能である。伝送装置の電源がオンになったときと、監視制御盤１ 18が基本ユニット12に挿入されたことの区別はこれにより可能となる。
【００４６】
制御部27は、このようにして、監視制御盤１ 18が交換されたこと、伝送装置10全体の電源がオンされたこと、パッケージごとの電源がオンまたはオフであること、パッケージごとにその前面の表示盤に設けられたリセットボタンが押されたこと、プログラムがリセットを検知したことを区別することができる。これらの検出は、電流または電圧の変化を検知する回路(図示せず)により行う。
【００４７】
制御部27は、以上のように、伝送装置10に生じる可能性のあるリセット要因、異常発生場所を検知する。検知結果に応じて、バックアップメモリ24, 26のうちのどちらに記憶されている設定情報を使用するか、または、いずれも使用せずに、上位制御部からのデータダウンロードを行うかを決定する。
【００４８】
リセット要因の検知結果に関しては、制御部27は、監視制御盤２ 20に関しては、監視制御盤２ 20内のリセット要因レジスタ60により、リセット要因（電源オンリセット、スイッチリセット、ソフトリセット）を認識する。最初に、監視制御盤１ 18の交換であることを認識して、立上処理に入る。次に、監視制御盤２ 20にリセット要因が生じているかどうかを判断する。
【００４９】
監視制御盤２ 20にリセット要因が生じている場合、電源オンリセット時は装置電源断からの復旧、電源オンリセット以外の時はバックアップメモリ26にはデータがあったが何らかの原因でリセットが発生し、バックアップメモリ26のデータが消去されたと判断する。
【００５０】
電源オンリセット時はバックアップメモリ24にあるデータを用いる。装置電源断からの復旧時は、通信サービスが途絶えている状態からの復旧であるから、バックアップメモリ24にあるデータから装置を立ち上げてよい。
【００５１】
電源オンリセット以外の時は、バックアップメモリ26のデータは消えている。しかし、装置電源断ではないため、監視制御盤２ 20にリセットが生じていても、主信号インターフェース部22, 22aにおいて、リセットや異常が生じていない限り、通信サービスは継続している。そこで、監視制御盤２ 20は、データダウンロード待ち状態になる。
【００５２】
データダウンロード待ち状態とは、監視制御盤１ 18から監視制御盤２ 20へのデータ転送、および監視制御盤２ 20の配下の各主信号インタフェース部に対して回線設定等の処理は行わず、監視制御盤１ 18単独で立上処理を完了し、監視制御盤２ 20は立上中状態のままとする。この処理により、主信号インタフェース部の運用メモリ38, 38aのデータは変更されず、通信サービスの提供を維持することが可能となる。
【００５３】
データダウンロード待ち状態から正常動作状態への復旧手段として、上位制御部16からデータダウンロード機能を用いる。データダウンロード機能とは、緊急復旧用の機能として、上位制御部16に格納されている伝送装置および回線データ等の全設定データを伝送装置10全体に対して再設定する機能である。
【００５４】
監視制御盤２ 20にリセット要因が生じていない場合、次に、監視制御盤２ 20またはバックアップメモリ26に異常が発生しているかどうかを、既述の状態データにより判断する。異常が発生していない時は、監視制御盤２ 20に関してはリセットも異常もないということであるから、バックアップメモリ26に最新のデータがある。これを用いて伝送装置10の立上を行う。通信サービスが途絶することはない。
【００５５】
監視制御盤２ 20またはバックアップメモリ26に異常が発生している時は、バックアップメモリ26のデータは消えている。しかし、装置電源断ではないため、通信サービスは継続している。そこで、監視制御盤２ 20は、既述のデータダウンロード待ち状態になる。データダウンロード待ち状態から正常動作状態への復旧は既述のように、上位制御部16からデータダウンロード機能を用いる。制御部27および監視制御盤１ 18の説明は以上である。
【００５６】
監視制御盤２ 20は、各ユニットに１つずつ搭載され、監視制御盤１ 18から設定された各設定データを、さらに主信号インタフェース部（インタフェース(IF)盤、時間スイッチ(TSW)盤、空間スイッチ(SSW)盤から構成される）に対して設定を行う。これとともに運用メモリ（CM）に保持し、ユニット内の監視制御を実施する。
【００５７】
基本ユニット12に搭載される監視制御盤２ 20は、制御部32と、バックアップメモリ（BUBU）26と、運用メモリ36とを含む。基本ユニットの監視制御盤２ 20は、監視制御盤１ 18のバックアップメモリ24と同じ内容をバックアップメモリのバックアップメモリ26として保持し、監視制御盤１ 18の交換時等には、バックアップメモリ26によりバックアップメモリ24の内容を再構築する。増設ユニット12の監視制御盤２ 20aは、制御部32aと、運用メモリ36aとを含む。
【００５８】
制御部32, 32aは、他のパッケージの制御部とデータの送受信を行なう。運用メモリ36, 36aは、既述の情報を格納する。
【００５９】
主信号インタフェース部22, 22aは、それぞれ監視制御盤２ 20, 20aからの各設定データを運用メモリ38, 38aに保持し、伝送装置の主機能である通信サービスを提供する。主信号インタフェース部の運用メモリ38, 38aが破損し、もしくはその記憶内容が消去した時は、通信サービスを提供できない状態に陥る。
【００６０】
主信号インタフェース部22, 22aは、制御部34, 34aと、運用メモリ38, 38aと、伝送部40, 40aとを含む。制御部34, 34aは、他のパッケージの制御部とデータの送受信を行なう。運用メモリ38, 38aは、既述の情報を格納する。
【００６１】
なお、バックアップメモリ24以外のバックアップメモリ26、BU制御メモリ28、運用メモリ30, 36, 36a, 38, 38aは、本実施例ではすべてRAMである。
【００６２】
次に本実施例の伝送装置における監視制御盤１ 18の交換後の立上処理(復旧処理)について、図２の立上処理フローにより説明する。以下の本発明の処理フローは、監視制御盤１ 18の交換後の立上処理時に、基本ユニット12の監視制御盤２ 20でリセットまたは故障等が発生している場合にも対処できる。また、主信号インタフェース部にリセットや異常が生じているかどうかにかかわらず適用できる。ただし、主信号インタフェース部にリセットや異常が生じている場合は、通信サービスが提供できない状態になっている可能性がある。説明の簡単化のために、以下では、伝送装置10の電源断以外の場合は、主信号インタフェース部は正常であり、通信サービスが提供できているとする。
【００６３】
本発明の処理フローの基本的な考え方は、基本ユニット12の監視制御盤２ 20でリセットがあったことを検出すると、リセット要因識別機能で電源オンリセット（POWER ONリセット）か、それ以外のリセットかを識別する。電源オンリセットの時は、伝送装置10全体の電源断からの復旧と判断し、監視制御盤１ 18のバックアップメモリ24で伝送装置10全体は立ち上がる。
【００６４】
電源オンリセット以外の時は、伝送装置10内に信頼できるバックアップ用データが存在しないと判断し、監視制御盤２、主信号インタフェース部に対してバックアップメモリからのデータ転送を実施せずにデータダウンロード待ち状態で立上を完了する。
【００６５】
基本ユニット12の監視制御盤２ 20でリセットは検出しなかったが、基本ユニット12の監視制御盤２ 20の故障またはバックアップメモリ26の異常を検出したときも、伝送装置10内に信頼できるデータが存在しないと判断し、監視制御盤２、主信号インタフェース部に対してデータ転送を実施せずに、上位制御部16からのデータダウンロード待ち状態で立上を完了する。
【００６６】
データダウンロード待ち状態で立上げを行った後は、上位制御部16よりデータダウンロード機能を使用して、通信サービスへ影響を与えずに、バックアップメモリ24の再設定が可能である。
【００６７】
図２において、最初に、監視制御盤１ 18が交換されて基本ユニット12に挿入されると、制御部27は、監視制御盤１ 18の交換であることを認識して、立上処理に入る(ステップS1)。次に、基本ユニット12の監視制御盤２ 20にリセット要因が無いかどうかを判断する(ステップS2)。
【００６８】
監視制御盤２ 20にリセット要因が生じている場合（NOの場合）、電源オンリセットであるかどうかを判断する(ステップS3)。電源オンリセット時は（YESの場合）、装置電源断からの復旧、電源オンリセット以外の時は（NOの場合）、バックアップメモリ26にはデータがあったが何らかの原因でリセットが発生し、バックアップメモリ26のデータが消去されたと判断する。
【００６９】
電源オンリセット時はバックアップメモリ24にあるデータを用いる。装置電源断からの復旧時は、通信サービスが途絶えている状態からの復旧であるから、バックアップメモリ24にあるデータから装置を立ち上げてよい。その手順は以下の通りである。バックアップメモリ24からBU制御用メモリ28へデータを転送する(ステップS4)。
【００７０】
BU制御用メモリ28から監視制御盤１ 18内の運用メモリ30にこのデータを転送する(ステップS5)。監視制御盤１ 18内の運用メモリ30から監視制御盤２ 20, 20a内の運用メモリ36, 36aへさらにデータを転送する(ステップS6)。これにより伝送装置10の立上は完了し、交換した監視制御盤１ 18内のバックアップメモリ24により伝送装置10は立ち上がる(ステップS7)。
【００７１】
ステップS3において、電源オンリセット以外のリセットが発生していると判断した時は、バックアップメモリ26のデータは消えている。しかし、装置電源断ではないため、通信サービスは継続している。そこで、監視制御盤２ 20は、主信号インタフェース部22, 22aのデータをバックアップメモリのデータにより書き換えることなく、伝送装置10をデータダウンロード待ち状態にする。
【００７２】
具体的には、バックアップメモリ24からBU制御用メモリ28へデータを転送する(ステップS8)。BU制御用メモリ28から監視制御盤１ 18内の運用メモリ30にこのデータを転送する(ステップS9)。監視制御盤２ 20, 20aへこのデータを転送することなく、監視制御盤２ 20を立上中の状態にする(ステップS10)。監視制御盤１ 18を立上完了にする(ステップS11)。その後、主信号インタフェース部22, 22aのデータを書き換えることなく、伝送装置10をデータダウンロード待ち状態にして、立上げを完了する(ステップS12)。
【００７３】
その後、上位制御部16からのデータダウンロードを実施する。このデータをバックアップメモリ24, 26に再設定する(ステップS13)。このデータにより、主信号インタフェース部22, 22aのデータを書き換えることはしない。
【００７４】
ステップS2に戻って、監視制御盤２ 20にリセット要因が生じていない場合、監視制御盤２ 20またはバックアップメモリ26に異常が発生しているかどうかを、既述の状態データにより判断する(ステップS14)。異常が発生していない時は、監視制御盤２ 20に関してはリセットも異常もないということであるから、バックアップメモリ26に最新のデータがある。これを用いて伝送装置10の立上げを行う。通信サービスが途絶することはない。
【００７５】
具体的には、バックアップメモリ26からBU制御用メモリ28へデータを転送する(ステップS15)。BU制御用メモリ28からバックアップメモリ24へデータを転送する(ステップS16)。BU制御用メモリ28から監視制御盤１ 18内の運用メモリ30にもこのデータを転送する(ステップS17)。監視制御盤１ 18内の運用メモリ30から監視制御盤２ 20, 20a内の運用メモリ36, 36aへさらにデータを転送する(ステップS18)。これにより伝送装置10の立上は完了し、監視制御盤２ 20内のバックアップメモリ26により伝送装置10は立ち上がる(ステップS19)。
【００７６】
ステップS14において、監視制御盤２ 20またはバックアップメモリ26に異常が発生している時は、バックアップメモリ26のデータは消えている。しかし、装置電源断ではないため、通信サービスは継続している。そこで、監視制御盤２ 20は、既述のデータダウンロード待ち状態になる。データダウンロード待ち状態から正常動作状態への復旧は既述のように、上位制御部16からデータダウンロード機能を用いる。
【００７７】
具体的には、監視制御盤１ 18内の運用メモリ30を初期化し、運用メモリ30からバックアップメモリ24へデータを転送する(ステップS20)。監視制御盤２ 20へこのデータを転送することなく、監視制御盤２ 20を立上中の状態にする(ステップS21)。監視制御盤１ 18を立上完了にする(ステップS22)。その後、主信号インタフェース部22, 22aのデータを書き換えることなく、伝送装置10をデータダウンロード待ち状態にして、立上げを完了する(ステップS23)。その後、既述のステップS13を行う。
【００７８】
以上のように、基本ユニットの監視制御盤２の故障等が発生している時に、監視制御盤１の交換を実施した場合において、装置はデータダウンロード待ち状態で立ち上がるため、主信号インタフェース部の運用メモリのデータが変更されることによる通信サービスの停止状態が回避可能である。
【００７９】
さらに、監視制御盤１と監視制御盤２が同時に故障したときや、いずれが故障しているかが判別が困難な時は、データダウンロード待ち状態機能を用いることにより、両制御盤の同時交換が可能になる。保守者は安全に（通信サービスへの影響無く）作業が可能となる。
【００８０】
ここで同時交換とは、交換した監視制御盤１のみを搭載し、監視制御盤２が未搭載の状態で（故障状態）、監視制御盤１をデータダウンロード待ち状態にする。その後、監視制御盤２を搭載し、上位制御部よりデータダウンロード機能で、データを再設定することである。
【００８１】
以上述べた実施例は、監視制御盤２でリセットがあった場合、または監視制御盤２に異常があった場合に、上位制御装置からのデータダウンロードを行った後に、主信号インタフェース部の運用メモリのデータを変更するものであるが、次に、比較例として、上位制御装置からのデータダウンロードを行う前に、主信号インタフェース部の運用メモリのデータを変更するものを示す。
【００８２】
さらに、本比較例では、監視制御盤２内にリセットが生じたかどうかのみを分析し、リセットの要因の分析は行わない。基本ユニット12の監視制御盤２では、リセットとして、電源オンリセット、スイッチリセット、ソフトリセットの論理和を検出することとする。このリセットの有無に従って、バックアップメモリ24と26のうち、いずれを使用するかを決定する。また、バックアップメモリ26の異常の有無も考慮して、いずれを使用するかを決定する。
【００８３】
本比較例によれば、バックアップメモリ24に故障等が発生している時、たとえば監視制御盤１の交換を実施した場合において、伝送装置で、使用可能なバックアップデータを使用する。このため、伝送部の設定情報が変更されることによる通信サービスの停止状態を、上記実施例より可能性は少なくなるが回避可能となる。
【００８４】
比較例の処理フローを図３に示す。最初に、監視制御盤１ 18が交換されて基本ユニット12に挿入されると、制御部27は、監視制御盤１ 18の交換であることを認識して、立上処理に入る(ステップS1)。次に、基本ユニット12の監視制御盤２ 20にリセットが無いかどうかを判断する(ステップS2)。
【００８５】
監視制御盤２ 20にリセットが生じている場合（NOの場合）、リセットの要因は既述のように種々あるが、電源オンリセットであると考え、装置電源断からの復旧と判断する。
【００８６】
そしてバックアップメモリ24にあるデータを用いる。装置電源断からの復旧時は、通信サービスが途絶えている状態からの復旧であるから、バックアップメモリ24にあるデータから装置を立ち上げる。その手順は以下の通りである。
【００８７】
バックアップメモリ24からBU制御用メモリ28へデータを転送する(ステップS4)。BU制御用メモリ28から監視制御盤１ 18内の運用メモリ30にこのデータを転送する(ステップS5)。監視制御盤１ 18内の運用メモリ30から監視制御盤２ 20, 20a内の運用メモリ36, 36aへさらにデータを転送する(ステップS6)。監視制御盤２ 20, 20a内の運用メモリ36, 36aから主信号インタフェース部22, 22aの運用メモリ38, 38aへデータを転送する(ステップS61)。これにより伝送装置10の立上げは完了し、交換した監視制御盤１ 18内のバックアップメモリ24により伝送装置10は立ち上がる(ステップS62)。主信号インタフェース部22, 22aのデータはステップS61で書き換えられているため、通信サービスは停止する(ステップS63)。
【００８８】
その後、上位制御部16からのデータダウンロードを実施する。このデータをバックアップメモリ24, 26に再設定する。このデータにより、主信号インタフェース部22, 22aのデータを書き換え、またバックアップメモリ24, 26を書き換える。こうして、通信サービスが復旧する(ステップS64)。
【００８９】
ステップS2に戻って、監視制御盤２ 20にリセットが生じていない場合、監視制御盤２ 20またはバックアップメモリ26に異常が発生しているかどうかを、既述の状態データにより判断する(ステップS14)。異常が発生していない時は、監視制御盤２ 20に関してはリセットも異常もないということであるから、バックアップメモリ26に最新のデータがある。これを用いて伝送装置10の立上げを行う。通信サービスが途絶することはない。
【００９０】
具体的にこれを、図４も参照して説明する。バックアップメモリ26からBU制御用メモリ28へデータを転送する(ステップS15)。BU制御用メモリ28からバックアップメモリ24へデータを転送する(ステップS16)。BU制御用メモリ28から監視制御盤１ 18内の運用メモリ30にもこのデータを転送する(ステップS17)。監視制御盤１ 18内の運用メモリ30から監視制御盤２ 20, 20a内の運用メモリ36, 36aへさらにデータを転送する(ステップS18)。監視制御盤２ 20, 20a内の運用メモリ36, 36aから主信号インタフェース部22, 22aの運用メモリ38, 38aへデータを転送する(ステップS181)。これにより伝送装置10の立上は完了し、監視制御盤２ 20内のバックアップメモリ26により伝送装置10は立ち上がる(ステップS182)。
【００９１】
上記の動作により、バックアップメモリ24の再設定処理が実行され、各主信号インタフェース部の運用メモリ36, 36aには、監視制御盤１の交換前と同じデータが上書設定されるため、主信号インタフェース部の運用メモリ36, 36aには一切変化が生じないことから通信サービスに影響なく立上処理を完了することができる。
【００９２】
ステップS14において、監視制御盤２ 20またはバックアップメモリ26に異常が発生している時は、バックアップメモリ26のデータは信用できないと考えられる。そのため、バックアップメモリ24にあるデータから装置を立ち上げる。その手順は以下の通りである。
【００９３】
具体的には、監視制御盤１ 18内の運用メモリ30を初期化し、運用メモリ30からバックアップメモリ24へデータを転送する(ステップS20)。監視制御盤１ 18内の運用メモリ30から監視制御盤２ 20, 20a内の運用メモリ36, 36aへさらにデータを転送する(ステップS24)。監視制御盤２ 20, 20a内の運用メモリ36, 36aから主信号インタフェース部22, 22aの運用メモリ38, 38aへデータを転送する(ステップS25)。これにより伝送装置10の立上げは完了し、交換した監視制御盤１ 18内のバックアップメモリ24により伝送装置10は立ち上がる(ステップS26)。主信号インタフェース部22, 22aのデータはステップS61で書き換えられているため、通信サービスは停止する(ステップS27)。その後、既述のステップS64を行う。
【００９４】
比較例では、基本ユニット12の監視制御盤２で故障またはバックアップメモリ26の異常を検出している時に、監視制御盤１を交換した場合、バックアップメモリ24を復活させるためのバックアップメモリ26が信頼できないため、各設定データの初期化を実施し装置を立ち上げることとしている。
【００９５】
また、監視制御盤１を交換した場合に、基本ユニット12の監視制御盤２でリセット（電源オンリセット、スイッチリセット、ソフトリセットの論理和）を検出している時は、装置の電源断からの復旧と判断し（監視制御盤１は電源オンリセットのため）、交換した監視制御盤１に格納されたバックアップメモリ24のデータで装置は立ち上がる。
【００９６】
このため、監視制御盤１を交換する前に設定されていた主信号インタフェース部の運用メモリのデータが変更され、伝送装置としては好ましくない「通信サービスの提供をできない状態」になる。
【００９７】
この状況は、装置の保守作業において故障した監視制御盤の判定を誤って、制御盤の交換順序が逆になった場合、もしくは監視制御盤１と監視制御盤２の同時故障が発生した場合などに顕在化する。
【００９８】
既述の実施例ではこの対策として、復旧手段は上位制御部からのデータダウンロード機能を用いている。データダウンロード機能とは、既述のように、緊急復旧用の機能として、上位制御部に持つ装置・回線データ等の全設定データを装置に対して再設定する機能である。
【図面の簡単な説明】
【００９９】
【図１】本発明による伝送装置の一実施例を示す構成図である。
【図２】本発明による伝送装置における立上処理のフロー図である。
【図３】比較例による伝送装置における立上処理のフロー図である。
【図４】比較例による立上処理におけるデータの流れを示す説明図である。
【符号の説明】
【０１００】
10  伝送装置
12  基本ユニット
14  増設ユニット
16  上位制御装置
18  監視制御盤１
20, 20a  監視制御盤２
22, 22a  主信号インタフェース部
24  バックアップメモリ
26  バックアップメモリ
28  BU制御メモリ
30, 36, 36a, 38, 38a  運用メモリ
60  レジスタ
【図１】
2006140560.tif 000003
【図２】
2006140560.tif 000004
【図３】
2006140560.tif 000005
【図４】
2006140560.tif 000006